(57)【要約】      （修正有）【課題】携帯品及び携帯電話を一緒に入れ、かつ分離して使用できる組み立て式バックパックを提供する。【解決手段】第一バッグ本体（サイドバッグ１２０）及び第二バッグ本体（携帯電話バッグ１４０）を組み立てることで構成される。第一バッグ本体の前面には２つの第一ファスナー１２２、１２４を設ける。第二バッグ本体の裏面には２つの第二ファスナー１４２、１４４を設ける。第二ファスナーは第一ファスナーに対応するように組み立てられ、且つ選択的に第一ファスナーから開く。第二ファスナーを第一ファスナーに対応するように組み立てる場合、第二バッグ本体の裏面を第一バッグ本体の前面に固定し、完全な組み立て式バックパックを構成する。【選択図】図１
0003230916.tif 000002
【実用新案登録請求の範囲】
【請求項１】
２つの第一ファスナーを設けた前面を有する第一バッグ本体と、
２つの前記第一ファスナーに対応して組み合わせるための２つの第二ファスナーを設けた裏面を有し、２つの前記第二ファスナーは選択的に２つの前記第一ファスナーから外れる第二バッグ本体と、を備え、
２つの前記第二ファスナーを２つの前記第一ファスナーに対応させて組み合わせることで、前記第二バッグ本体の前記裏面を前記第一バッグ本体の前記前面に固定することを特徴とする、
組み立て式バックパック。
【請求項２】
前記第一バッグ本体は融着したエッジ（ｆｕｓｅｄ  ｅｄｇｅ）を有し、前記第二バッグ本体は融着したエッジを有していることを特徴とする請求項１に記載の組み立て式バックパック。
【請求項３】
第一ストラップ組立部材及び第二ストラップ組立部材をさらに備え、前記第一バッグ本体はその両側に設置している第一リング及び第二リングを有し、前記第一ストラップ組立部材は前記第一リング及び前記第二リングにそれぞれ適合するように掛着している両端を有し、前記第二ストラップ組立部材は前記第一リングに適合するように掛着している一端及び前記第一ストラップ組立部材を貫通させるためのリング構造を含む他端を有していることを特徴とする請求項１に記載の組み立て式バックパック。
【請求項４】
２つの前記第一ファスナー及び２つの前記第二ファスナーは共に磁気吸着型ファスナーであることを特徴とする請求項１に記載の組み立て式バックパック。
【請求項５】
２つの前記第一ファスナーはスロットを各々有し、２つの前記第二ファスナーは前記スロットに挿入するための凸部を各々有していることを特徴とする請求項４に記載の組み立て式バックパック。
【請求項６】
２つの前記第一ファスナーは各前記スロットに可動ラッチを有し、２つの前記第二ファスナーの各前記凸部を対応する前記スロットに挿入すると、前記可動ラッチが前記凸部を前記スロット中に固定させることを特徴とする請求項５に記載の組み立て式バックパック。
【請求項７】
前記第一バッグ本体はサイドバッグであり、前記第二バッグ本体は透明部分を有することを特徴とする請求項１に記載の組み立て式バックパック。
【請求項８】
前記第二バッグ本体は防水ジッパーを有することを特徴とする請求項７に記載の組み立て式バックパック。
【請求項９】
前記第一バッグ本体はと前記第二バッグ本体の少なくとも１つは防水バッグであることを特徴とする請求項１に記載の組み立て式バックパック。
【考案の詳細な説明】
【技術分野】
【０００１】
本考案は、バックパックに関し、更に詳しくは、複数のバッグ本体を組み立てることで構成し、選択的に分離可能なバックパックに関する。
【背景技術】
【０００２】
一般人がプールや海に行って水遊びをする場合、携帯する証明書、カメラ、携帯電話、お金等の重要な携帯品を濡らさないようにするため、これらの携帯品を車内や保管ボックス中に置いておくことがある。
【考案の概要】
【考案が解決しようとする課題】
【０００３】
しかしながら、大多数の水遊び場にある保管ボックス内の物品や車内に置いた貴重品は盗難にあいやすかった。このため、夏になり水遊びのシーズンになると、この問題が多くの人を困らせた。
【０００４】
また、上述の問題を解決するために、あるメーカーでは防水バックパックを開発し、ユーザーが携帯品を防水バックパックに入れて携帯可能にした。
しかしながら、市販の防水バックパックは一般的にユーザーが背に背負って使用するため、先に防水バックパックを身体から放して下した後でないと中に入っている物品を取り出すことができなかった。また、大多数の防水バックパックは体積が大きく、開口部が大きく、且つ防水生地の間は縫合されているため、通常撥水機能を有するのみで、全体を水面下で使用することができなかった。更に、水遊び場の水位が腰よりも高い場合、その開口部や縫合部から水が入り込みやすかった。
【０００５】
なお、携帯品の中でも携帯電話は水遊びする際に随時取り出して写真を撮ることがあり、他の携帯品と一緒に防水バックパックに入れておくと随時取り出すのが非常に不便であった。このため、あるメーカーでは携帯電話用の防水バッグを開発した。一般的な携帯電話用防水バッグは透明部分を有し、構造の防水気密設計により、ユーザーが濡れやすい環境、例えば雨天や水辺で遊ぶ場合や、さらにはシュノーケリングをする場合でも、携帯電話等の電子製品を携帯可能にした。但し、体積は携帯電話よりもやや大きいくらいにすぎず、他の携帯品を多く入れることはできなかった。
【０００６】
このように、消費者が防水機能及び便利さを求める場合、防水バックパックを購入して携帯電話以外の携帯品を入れ、さらに携帯電話用防水バッグも購入して携帯電話のみを入れる必要があった。しかしながら、実際の使用では、人々は通常防水バックパック及び携帯電話用防水バッグを同時に背負いたいとは思わず、この場合、携帯電話用防水バッグのみを携帯し、他の携帯品の安全性を犠牲にするか、或いは携帯電話等の全ての貴重品を防水バックパックに入れて、携帯電話を使用する場合の便利さを犠牲にする必要があった。
【０００７】
一般的な防水バックパックは撥水または防雨機能しかなく、水中で使用できず、携帯電話用に設計されているわけでもない。一般的な携帯電話用防水バッグは、独立して水中でも使用できるが、他の携帯品を一緒に入れることはできない。本発明人は市場を調査し、携帯品及び携帯電話を一緒に入れることができ、両者を分離して使用可能なバックパックを開発すれば、消費者が広範囲に使用可能になることを見出した。
【０００８】
本考案はこうした状況に鑑みてなされたものであり、その目的は、携帯品及び携帯電話を一緒に入れ、且つ両者を分離して使用可能にする、組み立て式バックパックを提供することにある。
【課題を解決するための手段】
【０００９】
上記課題を解決するために、本考案のある態様の組み立て式バックパックは、２つのバッグ本体を組み立てることで構成している。第一バッグ本体は２つの第一ファスナーを設けている前面を有している。第二バッグ本体は２つの第二ファスナーを設けている裏面を有している。２つの第二ファスナーは選択的に２つの第一ファスナーに対応するように組み立て、分離可能である。２つの第二ファスナーを２つの第一ファスナーに対応するように組み立てる場合、第二バッグ本体の裏面を第一バッグ本体の前面に固定する。
【００１０】
本考案の好適例において、第一バッグ本体及び第二バッグ本体の辺縁は全て融着したエッジであり、密封及び防水効果を有している。
【００１１】
本考案の好適例において、上述の組み立て式バックパックは第一ストラップ組立部材及び第二ストラップ組立部材をさらに備えている。第一バッグ本体の両側には第一リング及び第二リングをそれぞれ有し、第一ストラップ組立部材の両端は第一リング及び第二リングにそれぞれ適合するように掛着している。第二ストラップ組立部材の一端は第一リングに適合するように掛着し、他端には第一ストラップ組立部材を貫通させるためのリング構造を有している。
【００１２】
本考案の好適例において、２つの第一ファスナー及び２つの第二ファスナーは共に磁気吸着型ファスナーである。
【００１３】
本考案の好適例において、２つの第一ファスナーはスロットを各々有し、２つの第二ファスナーはスロットに挿入するための凸部を各々有している。２つの第一ファスナーは各スロットに可動ラッチを有し、２つの第二ファスナーの各凸部を対応するスロットに挿入すると、可動ラッチが前記凸部をスロット中に固定させる。
【００１４】
本考案の好適例において、第一バッグ本体と第二バッグ本体の少なくとも１つ、または両方が共に防水バッグである。
【００１５】
本考案の好適例において、第一バッグ本体はサイドバッグであり、且つ第二バッグ本体は透明部分と防水ジッパーを有するものである。
【考案の効果】
【００１６】
本考案には、次のような効果がある。
本考案は２つのバッグ本体を組み立てることで構成する組み立て式バックパックであり、ユーザーは重要な携帯品をサイドバッグに入れ、携帯電話を単独で携帯電話バッグに入れる。携帯電話を使用する場合、携帯電話バッグを取り外し、使用後にサイドバッグ表面に固定する。これにより、携帯電話を使用する場合の利便性及び他の携帯品の安全性を両立する。
【００１７】
本明細書及び図面の記載により、少なくとも、以下の事項が明らかとなる。
【図面の簡単な説明】
【００１８】
【図１】本考案に係る組み立て式バックパックの一実施形態を模式的に示した分解概略図である。
【図２】本考案に係る組み立て式バックパックの一実施形態を模式的に示した分解概略図である。
【図３】本考案に係る組み立て式バックパックの一実施形態を模式的に示した組立概略図である。
【図４】本考案に係るストラップセット付きの組み立て式バックパックの一実施形態を示す概略図である。
【考案を実施するための形態】
【００１９】
以下、本考案の実施の形態について、図面を参照して詳細に説明する。なお、本考案は以下の例に限定されるものではなく、本考案の要旨を逸脱しない範囲で、任意に変更可能であることは言うまでもない。また、以下、実施例で述べる方向用語の上、下、左、右、前、後等は、添付図面の方向を参照するのみである。よって、これらの方向用語は説明に用いるのみであり、本考案を制限するものではない。
【実施例】
【００２０】
図１と図２は本考案に係る組み立て式バックパックの一実施形態を模式的に示した分解概略図である。組み立て式バックパック１００は第一バッグ本体及び第二バッグ本体を組み立てることで構成し、且つ第二バッグ本体は選択的に第一バッグ本体から分離可能である。
本実施例では、第一バッグ本体はサイドバッグ１２０であり、第二バッグ本体は携帯電話バッグ１４０である。サイドバッグ１２０及び携帯電話バッグ１４０は共に防水生地で製造する。サイドバッグ１２０の辺縁は融着したエッジ１２３（ｆｕｓｅｄ  ｅｄｇｅ）であり、且つ携帯電話バッグ１４０の辺縁も融着したエッジ１４３である。融着したエッジ１２３及び１４３は共に高周波融着加工法（ｈｉｇｈ  ｆｒｅｑｕｅｎｃｙ  ｆｕｓｉｎｇ）により２層の防水生地を融着することで形成し、密封及び防水効果を有している。よって、組み立て式バックパック１００全体を水面下で使用する場合、水深１ｍの水圧にも耐えられる。他の実施例では、サイドバッグ１２０或いは／及び携帯電話バッグ１４０は防水能力の異なる材料や非防水材料により製造する。また、サイドバッグ１２０及び携帯電話バッグ１４０の材料は同じであっても同じではなくてもよい。
【００２１】
サイドバッグ１２０は２つの第一ファスナー１２２及び１２４を設けている前面１２１を有し、且つその上辺には防水ジッパー（図示省略）を有し、上辺の両端には２つのリングをそれぞれ有している。携帯電話バッグ１４０は裏面１４１（図１参照）及び前面１４５（図２参照）を有している。裏面１４１には２つの第二ファスナー１４２及び１４４を設けている。図１に示される携帯電話バッグ１４０を裏返した後、２つの第二ファスナー１４２及び１４４を選択的にサイドバッグ１２０の２つの第一ファスナー１２４及び１２２に対応するように組み立てるか分離する。これにより、携帯電話バッグ１４０及びサイドバッグ１２０を組み合わせて全体を構成し、必要に応じて随時分離して使用可能にする。
【００２２】
本実施例では、２つの第一ファスナー１２２及び１２４、並びに２つの第二ファスナー１４４及び１４２は共に磁気吸着型ファスナーであり、磁力により吸着して一体となる。構造上、２つの第一ファスナー１２２及び１２４は共に雌ファスナーであり、スロット１２２２及び１２４２をそれぞれ有している。
２つの第二ファスナー１４２及び１４４は共に雄ファスナーであり、スロット１２４２及び１２２２に対応するように挿入する凸部１４２２及び１４４２をそれぞれ有している。２つの第一ファスナー１２２及び１２４のスロット１２２２及び１２４２は可動ラッチ１２２４及び１２４４をそれぞれ有している。可動ラッチ１２２４及び１２４４はスロット１２２２及び１２４２のスロット壁中にそれぞれ縮入し、或いはスロット１２２２及び１２４２のスロット壁中からそれぞれ自動的に延出する。
【００２３】
２つの第二ファスナー１４２及び１４４の凸部１４２２及び１４４２は２つのスロット１２４２及び１２２２に対応するように挿入する過程で、可動ラッチ１２４４及び１２２４にそれぞれ接触すると、可動ラッチ１２４４及び１２２４がスロット１２４２及び１２２２のスロット壁中にそれぞれ一時的に縮入する。
２つの凸部１４２２及び１４４２を対応するスロット１２４２及び１２２２に完全に挿入した後、可動ラッチ１２４４及び１２２４がスロット１２４２及び１２２２のスロット壁中からそれぞれ自動的に延出し、対応するように凸部１４２２及び１４４２がスロット１２４２及び１２２２中にそれぞれ位置決めされる。磁力及び係合構造により、携帯電話バッグ１４０がサイドバッグ１２０の前面１２１から脱落しにくくなる。
【００２４】
図２に示されるように、携帯電話バッグ１４０は前面１４５に設けている防水ジッパー１４６を有し、且つユーザーが携帯電話バッグ１４０に入れた携帯電話を直接使用して写真を撮るための透明部分１４７を有している。２つの第二ファスナー１４２及び１４４は防水ジッパー１４６の背面に位置し、且つ透明部分１４７の上方に位置している。
【００２５】
図３はサイドバッグ１２０及び携帯電話バッグ１４０を組み合わせて完全な組み立て式バックパック１００を構成したものを図示する。
２つの第二ファスナー１４２及び１４４を２つの第一ファスナー１２４及び１２２に対応するように組み立てる場合、携帯電話バッグ１４０の裏面１４１をサイドバッグ１２０の前面１２１に固定し、全体を形成する。使用時には、ストラップの両端をサイドバッグ１２０の両側のリングにそれぞれ掛着し、組み立て式バックパック１００を腰に斜め掛けする。ユーザーは重要な携帯品をサイドバッグ１２０に入れ、携帯電話を携帯電話バッグ１４０に単独で入れる。携帯電話を使用する場合、携帯電話バッグ１４０を取り外し、使用後にはサイドバッグ１２０の表面に固定すればよい。よって、携帯電話を使用する場合の利便性及び他の携帯品の安全性を両立している。
【００２６】
図４は本考案に係るストラップセット付きの組み立て式バックパック１００の一実施形態を示す概略図である。
本実施例では、サイドバッグ１２０の両側に第一リング１２５及び第二リング１２６をそれぞれ有している。組み立て式バックパック１００には組み立て式ストラップセット１６０を配備している。組み立て式ストラップセット１６０は第一ストラップ組立部材１６２及び第二ストラップ組立部材１６４を備えている。第一ストラップ組立部材１６２の両端は第一リング１２５及び第二リング１２６にそれぞれ適合するように掛着している。第二ストラップ組立部材１６４の一端は第一リング１２５に適合するように掛着し、他端にはリング構造１６６を有し、第一ストラップ組立部材１６２をリング構造１６６から中央に貫通させている。
【００２７】
第一ストラップ組立部材１６２は単独で使用するか、第二ストラップ組立部材１６４と組み合わせて使用する。使用時には、第一ストラップ組立部材１６２はユーザーの肩に回し、組み立て式バックパック１００を腰側に斜め掛けする。第二ストラップ組立部材１６４はユーザーの腰に横に回し掛ける。換言すれば、第一ストラップ組立部材１６２及び第二ストラップ組立部材１６４は自動車のシートベルトと同様にユーザーの身体に掛ける。これにより、組み立て式バックパック１００がより密着し、ユーザーの腰にさらに安定的に固定される。
【００２８】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２９】
１００  組み立て式バックパック
１２０  サイドバッグ
１２１  サイドバッグの前面
１２２  第一ファスナー
１２４  第一ファスナー
１２２２  スロット
１２４２  スロット
１２２４  可動ラッチ
１２４４  可動ラッチ
１２３  融着したエッジ
１２５  第一リング
１２６  第二リング
１４０  携帯電話バッグ
１４１  携帯電話バッグの裏面
１４２  第二ファスナー
１４４  第二ファスナー
１４２２  凸部
１４４２  凸部
１４３  融着したエッジ
１４５  携帯電話バッグの前面
１４６  防水ジッパー
１４７  透明部分
１６０  組み立て式ストラップセット
１６２  第一ストラップ組立部材
１６４  第二ストラップ組立部材
１６６  リング構造
【図１】
0003230916.tif 000003
【図２】
0003230916.tif 000004
【図３】
0003230916.tif 000005
【図４】
0003230916.tif 000006